(57)【要約】【課題】容器の密合性を確保し、反り返りを防止し、容器内食品の安全性および高品質を維持し、破り部材が本体に設けられている密合型の食品容器を提供する。【解決手段】蓋５０は本体４０の上で本体４０を密封する。延出耳部５５は弧状凹部４６を覆い第一の反り返り防止構造を形成する。蓋５０、および、本体４０の後ろ側の可撓性連結部５６は第二の反り返り防止構造を形成する蓋５０を開ける際に、延出耳部５５の第一破線部５５１を破り、指を掛穴に入れて上方向に持ち上げ、延出耳部５５と連結されている可撓性連結部５６の第二破線部５７を破り、蓋５０と本体４０を分離する。【選択図】図１
0003193706.tif 000002
【実用新案登録請求の範囲】
【請求項１】
一つの本体および一つの蓋を備え、
前記本体は、一つの底面、前記底面の周縁から上方向に延伸して形成されている一つの壁面、および、前記壁面の頂部周縁に形成されている一つの第一密合部を有し、
前記第一密合部は、一つの第一横方向密合面と、前記第一横方向密合面から上方向に延伸して形成されている一つの第一縦方向密合面と、前記第一縦方向密合面の縁部が外側に折り返ることで形成される折辺とを有し、
前記蓋は、一つの頂面、前記頂面の周縁から下方向に延伸する一つの枠面、および、前記枠面の外周縁に形成されている一つの第二密合部を有し、
前記第二密合部は、前記本体の前記第一密合部の形に合うよう形成されており、前記第一横方向密合面に対応する第二横方向密合面、および、前記第一縦方向密合面に対応する第二縦方向密合面を有し、前記第二縦方向密合面の縁部が外側に向いて突出縁部を形成し、
前記本体の前記壁面は少なくとも一つの端部に内側凹面が形成されており、
前記内側凹面と前記折辺の間には内縮空間が形成されており、
前記内側凹面の頂部は前記第一密合部に接続されている構造を有し内側に凹む第三密合部が形成されており、
前記第一密合部と前記第三密合部は連続形状を形成し、
前記本体の前記内側凹面と前記第三密合部は内側に凹んだ弧形を形成し、
前記第三密合部の外側面は一つの唇辺部を形成し、
前記唇辺部と前記折辺の間に一つの弧状凹部が形成されており、
前記蓋の前記枠面は、前記本体の前記内側凹面に対応しており、前記第二密合部に接続されており前記第三密合部に当接可能である内側に凹んだ第四密合部が設けられており、
前記第二密合部および前記第四密合部は連続形状を形成し、
前記第四密合部の外側には前記弧状凹部の上側に設置可能な延出耳部が設けられており、
前記内側凹面と前記折辺の間に形成されている前記内縮空間は、前記本体の後面の左右両側のうち、一方の端部角に設けられており、
前記蓋と前記本体の後側には可撓性連結部が設けられており、
前記可撓性連結部は、片側が前記内縮空間に接近しており、底端が前記本体の前記折辺の底部縁部と一体に連結されており、頂端と前記蓋の連接部に引き裂き可能な第二破線部が形成されており、
前記折辺に囲まれている区域は、前記可撓性連結部の長さを含まず、Ｃ型の突起折辺を形成し、前記突起折辺に内側摺面を有し、
前記内側摺面と前記第一縦方向密合面の間に、前記突出縁部の形に対応する平面が形成されており、当該平面と前記突出縁部が当接する時、前記突出縁部の外縁が前記内側摺面の底縁に接近し、
前記延出耳部は、前記突出縁部に連結されており、前記弧状凹部を覆い、外縁が前記内側摺面の底縁に接近し、破られた時に指がかかり可能な掛穴を形成する第一破線部が形成されており、
前記蓋は前記本体の上で前記本体を密封し、
前記延出耳部は前記弧状凹部を覆い第一の反り返り防止構造を形成し、
前記蓋、および、前記本体の後ろ側の前記可撓性連結部は第二の反り返り防止構造を形成し、
前記蓋を開ける際に、前記延出耳部の前記第一破線部を破り、指を前記掛穴に入れて上方向に持ち上げ、前記延出耳部と連結されている前記可撓性連結部の前記第二破線部を破ることで、前記蓋と前記本体とが分離することを特徴とする食品容器。
【請求項２】
前記本体の前記第一密合部および前記第三密合部の前記第一横方向密合面には下方向に凹んだ第一環状溝が形成されており、
前記第一縦方向密合面には外側に向いて凹んだ第二環状溝が形成されており、
前記蓋の前記第二密合部および前記第四密合部の前記第二横方向密合面には、前記第一環状溝に嵌合可能な第一環状凸リブが設けられており、
前記第二縦方向密合面には、前記第二環状溝に嵌合可能な第二環状凸リブが設けられていることを特徴とする請求項１に記載の食品容器。
【請求項３】
前記延出耳部の前記第一破線部はＨ状に形成されていることを特徴とする請求項１に記載の食品容器。
【請求項４】
前記延出耳部の表面は凹凸を有する粗面であることを特徴とする請求項１に記載の食品容器。
【請求項５】
前記可撓性連結部の前記第二破線部は前記延出耳部の外縁の切線に接続されており、
前記延出耳部が前記弧状凹部から持ち上げられた時、剪断力により前記第二破線部が破られることを特徴とする請求項１に記載の食品容器。
【考案の詳細な説明】
【技術分野】
【０００１】
本考案は、食品容器に関し、特に反り返り防止かつ容易に開けられる密合型の食品容器に関する。
【背景技術】
【０００２】
特許文献１には、水平方向および垂直方向に密閉を行う食品容器の二重の密閉構造が開示されている。このような密閉構造は容器の密閉性を確保し漏れを確実に防止することができる。このような密閉構造は、容器本体および蓋を形成するとき、口縁部の結合部の間の横方向および縦方向において、互いに嵌合可能な環状溝および環状突出リブが形成されている。よって、互いに直交するとともに嵌合かつ当接する密合構造が形成される。これにより、加熱せずに密封効果が得られる。よって、この考案は、密合性に優れているが、開けるのが困難である問題を有する。特許文献２に記載の「容易に開けられる密封型食品容器」は上述の考案の問題を改善するものである。
【先行技術文献】
【特許文献】
【０００３】
【特許文献１】米国特許第２００５−６８８３６７８号明細書
【特許文献２】米国特許第２０１２−８２４０５０５号明細書
【考案の概要】
【考案が解決しようとする課題】
【０００４】
本考案の目的は、容器の密合性を確保し、反り返りを防止し、容器内食品の安全性および高品質を維持し、破り部材が本体に設けられている密合型の食品容器を提供することにある。
【課題を解決するための手段】
【０００５】
蓋は本体の上で本体を密封する。延出耳部は弧状凹部を覆い第一の反り返り防止構造を形成する。蓋、および、本体の後ろ側の可撓性連結部は第二の反り返り防止構造を形成する蓋を開ける際に、延出耳部の第一破線部を破り、指を掛穴に入れて上方向に持ち上げ、延出耳部と連結されている可撓性連結部の第二破線部を破り、蓋と本体を分離する。
【図面の簡単な説明】
【０００６】
【図１】本考案の一実施形態において蓋が開けられた状態を示す斜視図である。
【図２】本考案の一実施形態において蓋が密合された状態を示す斜視図である。
【図３】図２の３−３線断面図である。
【図４】図２の４−４線断面図である。
【図５】図１の５−５線断面図である。
【図６】図２の６−６線断面図である。
【図７】図２の平面図である。
【図７Ａ】図７の要部拡大図である。
【図８】本考案の一実施形態による第一の反り返り防止構造を破った状態を示す模式図である。
【図９】本考案の一実施形態による第二の反り返り防止構造を破った状態を示す本考案の使用状態を示す模式図である。
【図１０】本考案の一実施形態による蓋が破られた使用状態を示す模式図である。
【考案を実施するための形態】
【０００７】
（一実施形態）
図１?図１０に示すように、本考案の一実施形態による反り返り防止かつ容易に開けられる食品容器６０は、一つの本体４０および一つの蓋５０を備える。本体４０は、一つの底面４１、底面４１の周縁から上方向に延伸して形成されている一つの壁面４２、および、壁面４２の頂部周縁に形成されている一つの第一密合部４３を有する。第一密合部４３は、一つの第一横方向密合面４３ａと、第一横方向密合面４３ａから上方向に延伸して形成されている一つの第一縦方向密合面４３ｂと、第一縦方向密合面４３ｂの縁部が外側に折れることにより形成される折辺４４とを有する。
【０００８】
蓋５０は、一つの頂面５１、頂面５１の周縁から下方向に延伸する一つの枠面５２、および、枠面５２の外周縁に形成されている一つの第二密合部５３を有する。第二密合部５３は、本体４０の第一密合部４３の形に合うよう形成されており、第一横方向密合面４３ａに対応する第二横方向密合面５３ａ、および、第一縦方向密合面４３ｂに対応する第二縦方向密合面５３ｂを有し、第二縦方向密合面５３ｂの縁部が外側に向いて突出縁部５４を形成する。
【０００９】
本体４０の壁面４２は少なくとも一つの端部に内側凹面４２１が形成されている。内側凹面４２１と折辺４４の間には内縮空間４５が形成されている。内側凹面４２１の頂部は第一密合部４３に接続されている構造を有し内側に凹む第三密合部４３’が形成されている。第一密合部４３と第三密合部４３’は連続形状を形成する。本体４０の内側凹面４２１と第三密合部４３’は内側に凹んだ弧形を形成する。第三密合部４３’の外側面は一つの唇辺部４４’を形成する。唇辺部４４’と折辺４４の間に一つの弧状凹部４６が形成されている。
【００１０】
蓋５０の枠面５２は、本体４０の内側凹面４２１に対応しており、第二密合部５３に接続されており第三密合部４３’に当接可能である内側に凹んだ第四密合部５３’が設けられている。第二密合部５３および第四密合部５３’は連続形状を形成する。第四密合部５３’の外側には弧状凹部４６の上側に設置可能な延出耳部５５が設けられている。本体４０の内縮空間４５及び弧状凹部４６には、両手の指により操作可能な操作空間が自然に形成される。
【００１１】
本実施形態では、本体４０の第一密合部４３及び第三密合部４３≡の第一横方向密合面４３ａに、下方向に向いて凹んだ第一環状溝４３１が形成されている。また、第一縦方向密合面４３ｂには外側に向いて凹んだ第二環状溝４３２が形成されている。また、蓋５０の第二密合部５３及び第四密合部５３’の第二横方向密合面５３ａには、第一環状溝４３１に嵌入且つ係合可能な第一環状凸リブ５３１が形成されている。第二縦方向密合面５３ｂ  には第二環状溝４３２に嵌入且つ係合可能な第二環状凸リブ５３２が形成されている。本考案は、上述の技術手段により、蓋５０が優れた密合性を有する。また、蓋５０の持ち上げ操作が簡単であり従来技術の欠点が改善される。
【００１２】
本考案では、蓋５０の優れた密合性および容易に開けられる特性を有するとともに、内側凹面４２１と折辺４４の間の４５は、本体４０の後側の左右両側の一方の端部角に設けられている。本実施形態では内縮空間４５は右側の後端に設けられている。他の実施形態では左側の後端に設けられている。
【００１３】
蓋５０と本体４０の後側には可撓性連結部５６が設けられている。可撓性連結部５６は、片側が内縮空間４５に接近しており、底端が本体４０の折辺４４の底部縁部と一体に連結されており、頂端と蓋５０の連接部に引き裂き可能な第二破線部５７が形成されている。折辺４４に囲まれている区域は、可撓性連結部５６の長さを含まず、Ｃ型の突起折辺４４を形成し、突起折辺４４に内側折面４４１を有する。内側折面４４１と第一縦方向密合面４３ｂの間に、突出縁部５４の形に対応する平面唇辺４７が形成されている。当該平面唇辺４７と突出縁部５４が当接する時、突出縁部５４の外縁が内側折面４４１の底縁に接近する。延出耳部５５は、突出縁部５４に連結されており、弧状凹部４６を覆い、外縁が内側折面４４１の底縁に接近し、破る際に指をかけることが出来る掛穴５５’を形成する第一破線部５５１が形成されている。本実施形態では、延出耳部５５の第一破線部５５１はＨ字状に形成されている。よって、指により第一破線部５５１が破られた時、指がかかり可能な掛穴５５’が形成される。図７Ａに示すように、延出耳部５５の表面は凹凸を有する粗面５５２である。よって、指にかかる摩擦力を増加させることができる。
【００１４】
図７に示すように、蓋５０を開ける際に、延出耳部５５の第一破線部５５１を破り、指を掛穴５５’に入れて上方向に持ち上げ、延出耳部５５と連結されている可撓性連結部５６の第二破線部５７を破り、蓋５０と本体４０を分離する。
【００１５】
一実施形態では、可撓性連結部５６の第二破線部５７は延出耳部５５の外縁の切線に接続されている。延出耳部５５が弧状凹部４６から持ち上げられた時、剪断力により第二破線部５７が破られる。
【００１６】
図８から１０に示すように、本考案の食品容器６０は、内縮空間４５、弧状凹部４６、及び第一破線部５５１を有する延出耳部５５を備えることで、蓋５０を開ける時指の操作空間を提供する。よって、簡単且つ省力的に唇辺部４４’および第四密合部５３’の位置から蓋５０を外すことができる。食品容器６０の特徴は、開けるのに用いられる穴を一つのみ有し、これにより周囲の密合部を容易に外すことができることである。唇辺部４４’および第四密合部５３’は本考案の蓋５０を開ける「Ｋｅｙ」である。この部分が開けられると、蓋５０の全体が速やかに開けられる。蓋５０と本体４０が密合している時、完全に密封する。これにより、内部の液体が漏れることを防止し、使用時に容易に開けることができる効果を高めることができる。また、蓋５０は二つの反り返り防止構造を有し、突出縁部５４の外縁部は内側折面４４１の底縁部に接近している。よって、蓋５０の第一破線部５５１が破られていない場合、蓋５０を開けることができない。また、蓋５０のいずれの反り返り防止構造が破壊されても、外観上容易に識別することができる。よって、容器の密合性を確保することができるとともに、反り返りを防止することができる。また、容器内食品の安全性および高品質を維持することができる。本考案は反り返り防止かつ容易に開けられる効果を有する。
【符号の説明】
【００１７】
４０    本体
４１    底面
４２    壁面
４２１  内側凹面
４３    第一密合部
４３’  第三密合部
４３ａ  第一横方向密合面
４３ｂ  第二縦方向密合面
４３１  第一環状溝
４３２  第二環状溝
４４    折辺
４４’  唇辺部
４４１  内側折面
４５    内縮空間
４６    弧状凹部
４７    平面唇辺
５０    蓋
５１    頂面
５１１  環状凸リブ
５２    枠面
５３    第二密合部
５３’  第四密合部
５３ａ  第二横方向密合面
５３ｂ  第二縦方向密合面
５３１  第一環状凸リブ
５３２  第二環状凸リブ
５４    突出縁部
５５    延出耳部
５５１  第一破線部
５５２  粗面
５５’  掛穴
５６    可撓性連結部
５７    第二破線部
６０    食品容器
【図１】
0003193706.tif 000003
【図２】
0003193706.tif 000004
【図３】
0003193706.tif 000005
【図４】
0003193706.tif 000006
【図５】
0003193706.tif 000007
【図６】
0003193706.tif 000008
【図７】
0003193706.tif 000009
【図７Ａ】
0003193706.tif 000010
【図８】
0003193706.tif 000011
【図９】
0003193706.tif 000012
【図１０】
0003193706.tif 000013